(57)【要約】 【課題】アシストバーに対してカバー材を簡単に取り付け及び取り外しでき、清掃性に優れたカバー材、及びその取り付け構造を実現する。【解決手段】流し台のキャビネット２の幕板部に、使用者が身体を凭れさせることが可能なアシストバー１４を備え、アシストバー１４は、バー本体１０とバー本体１０に外装されるカバー材９とからなり、カバー材９は、バー本体１０と取り付け、取り外しが自在となるよう弾性を有する形態であるとともに、カバー材９の下部には、カバー材９をバー本体１０から取り外す際の手掛かり２３がキャビネット２側に向かって、斜め下向きに形成されており、さらに、キャビネット２の上面に載置される天板３を備え、カバー材９は天板３の下面に当接する凸状部２２を備えている【選択図】図３
2008289519.tif 000002
【特許請求の範囲】
【請求項１】
キャビネットの幕板部に、使用者が身体を凭れさせることが可能なアシストバーを備えた流し台であって、アシストバーは、バー本体とバー本体に外装されるカバー材とからなり、カバー材は、バー本体と取り付け、取り外しが自在となるよう弾性を有する形態であるとともに、カバー材の下部には、カバー材をバー本体から取り外す際の手掛かりが形成されていることを特徴とする流し台。
【請求項２】
請求項１記載の流し台であって、手掛かりはキャビネット側に向かって、斜め下向きに形成されていることを特徴とする流し台。
【請求項３】
請求項１または２記載の流し台であって、キャビネットの上面に載置される天板を備え、カバー材は天板の下面に当接する凸状部を備えていることを特徴とする流し台。
【請求項４】
請求項１から３のいずれかに記載の流し台であって、バー本体は、使用者が身体を凭れさせることが可能な前面部と、前面部に対してキャビネット側に位置する後面部と、前面部および後面部の下側に位置する底面部とを備え、カバー材は、前面部と後面部と底面部の一部を覆うように形成されていることを特徴とする流し台。
【請求項５】
請求項１から４のいずれかに記載の流し台であって、アシストバーは端部にサイドキャップを備え、カバー材の端部はサイドキャップに突き合わせ状態で固定されていることを特徴とする流し台。
【請求項６】
請求項５記載の流し台であって、アシストバーは端部において、使用者が身体を凭れさせることが可能な前面部に対してキャビネット側に位置する後面部は、サイドキャップの表面より外側にはみ出るように形成されていることを特徴とする流し台。
【発明の詳細な説明】
【技術分野】
【０００１】
本発明は、流し台に関し、特に、流し台の幕板部に人が凭れることができるアシストバーを設け、このアシストバーに弾力的に取り付け、取り外しのできるカバー材を設けた流し台に関する。
【背景技術】
【０００２】
従来、流し台の前面に人が凭れるもたれバーを取り付け、もたれバーにカバーを外装した構成も知られている。例えば、幕板に収納兼サポート用部材を設けた流し台において、図５（ａ）、（ｂ）に示すような、サポート用部材のカバーを底部の係止突起で嵌着し、サポート用部材とカバーをサイドキャップに嵌合して固定した発明が知られている（特許文献１参照）。
【０００３】
また、幕板にもたれ用手摺を設けた流し台において、手摺杆の外表面に手摺外装材を被着し、ブラケットの固定部に手摺杆の端部を呑み込むフランジ部を形成した構成が知られている（特許文献２参照）。
【特許文献１】特開２００７−０００１６２号公報
【特許文献２】特開２００３−３１４０２１号公報
【発明の開示】
【発明が解決しようとする課題】
【０００４】
上記従来例は、いずれも流し台において、人がもたれることのできるアシストバー５１に相当する部材（従来例の「サポート用部材」、「手摺杆」）と、アシストバー５１のカバー材５２に相当する部材（従来例の「カバー」、「手摺外装材」）を、図５（ｃ）、（ｄ）に示すように、両端部でサイドキャップ５３に相当する部材（従来例の「サイドカバー」、「ブラケット」）の内面に形成された凹所５４に嵌合し、アシストバー５１の両端から挟持するようにして固定した構成であった。
【０００５】
カバー材５２の新規又は交換のための取り付けの際、或いは清掃等のために、カバー材５２だけを取り付け、取り外しする場合が生じるが、上記従来例の構成であると、カバー材５２も含めてアシストバー５１がサイドキャップの凹所５４に嵌合しているので、カバー材５２だけを簡単に取り外すことはできなかった。また、封止部材６２は、両面テープ等で接着していた。
【０００６】
そして、アシストバー５１とカバー材５２をサイドキャップ５３の凹所５４に嵌合すると、この嵌合部の隙間５５やカバー材５２とサイドキャップの段差部５６等にゴミがたまった場合に清掃がしにくいという問題があった。
【０００７】
本発明は、上記従来のアシストバーのカバー材について生じる問題を解決することを目的とし、アシストバーに対してカバー材を簡単に取り付け及び取り外しでき、清掃性に優れたカバー材、及びその取り付け構造を実現することを課題とするものである。
【課題を解決するための手段】
【０００８】
本発明は上記課題を解決するために、キャビネットの幕板部に、使用者が身体を凭れさせることが可能なアシストバーを備えた流し台であって、アシストバーは、バー本体とバー本体に外装されるカバー材とからなり、カバー材は、バー本体と取り付け、取り外しが自在となるよう弾性を有する形態であるとともに、カバー材の下部には、カバー材をバー本体から取り外す際の手掛かりが形成されていることを特徴とする流し台を提供する。
【０００９】
前記手掛かりはキャビネット側に向かって、斜め下向きに形成されていることが好ましい。
【００１０】
前記キャビネットの上面に載置される天板を備え、カバー材は天板の下面に当接する凸状部を備えていることが好ましい。
【００１１】
前記バー本体は、使用者が身体を凭れさせることが可能な前面部と、前面部に対してキャビネット側に位置する後面部と、前面部および後面部の下側に位置する底面部とを備え、カバー材は、前面部と後面部と底面部の一部を覆うように形成されていることが好ましい。
【００１２】
前記アシストバーは端部にサイドキャップを備え、カバー材の端部はサイドキャップに突き合わせ状態で固定されていることが好ましい。
【００１３】
前記アシストバーは端部において、使用者が身体を凭れさせることが可能な前面部に対してキャビネット側に位置する後面部は、サイドキャップの表面より外側にはみ出るように形成されていることが好ましい。
【発明の効果】
【００１４】
本発明によれば、弾力性のあるカバー材に手掛かりを形成するとともに、カバー材だけを、弾力により取り付け、取り外し自在となるように、アシストバーに外装する構成としたので、カバー材の新規又は交換の際、或いは清掃のための取り付け、取り外しの作業が簡単となる。
【発明を実施するための最良の形態】
【００１５】
本発明に係る流し台を実施するための最良の形態を実施例に基づき図面を参照して、以下説明する。
【実施例１】
【００１６】
図１は、本発明に係る流し台の実施例１を説明する図である。この実施例１の流し台１では、図１（ａ）に示すように、流し台１のキャビネット２の前面の位置、要するに天板３の下であってシンク４の前方のスペースに、収納兼アシストバー用幕板部５が取り付けられている。
【００１７】
この収納兼アシストバー用幕板部５は、図１（ａ）〜（ｃ）に示すように、収納兼アシストバー用部材６と、固定片７と、サイドキャップ８と、カバー材９（アシストバーカバー）とを備えている。
【００１８】
収納兼アシストバー用部材６は、図１（ｂ）に斜視図で示すように、バー本体１０と、棚１１と、取り付け部１２とを備えており、固定片７を介してキャビネット２の側板１３に取り付けられる。カバー材９は、バー本体１０に外装（バー本体１０の外面に装着）され、アシストバー１４を構成する。サイドキャップ８は、バー本体１０の端部に装着される。
【００１９】
以上の構成の収納兼アシストバー用幕板部５により、棚１１に、物品１５を載置し収納することができ、流し台１の使用者は、アシストバー１４にその身体をもたれさせて支持させることができる。
【００２０】
本発明の特徴的な構成は、アシストバー１４のバー本体１０の外面に装着されるカバー材９の構成であり、また、アシストバー１４にサイドキャップ８を取り付ける取り付け構造である。この特徴的な構成を以下に説明する。
【００２１】
バー本体１０は、図２（ａ）にその断面図を示すように、使用者が身体を凭れさせることが可能な凸湾曲状の前面部１６と、前面部１６に対してキャビネット２側に位置する凹湾曲状の後面部１７と、前面部１６及び後面部１７の下側に位置する底面部１８とを備えている。
【００２２】
カバー材９は、図２（ｂ）にその断面図を示すように、バー本体１０に取り付け、取り外しが自在となるよう弾性を有する形態である。具体的には、カバー材９は、弾性を有する樹脂材等の材料で形成され、カバー材９の長手方向に垂直な断面形状が、バー本体１０の長手方向に垂直な断面形状とほぼ同じ形状となるように、形成される。
【００２３】
要するに、カバー材９は、バー本体１０の外面に沿うように、ほぼ同じ外表面の輪郭で形成されており、バー本体の前面部１６、後面部１７及び底面部１８ に対応して、前面部１９、後面部２０及び下面部２１を備えている。
【００２４】
カバー材９は、天板３の下面に当接する凸状部２２を備えている。この凸状部２２は、カバー材９の後面部２０の先端側において、カバー材９の長手方向に線条に延びるように形成されている。凸状部２２の断面形状は、図２（ｄ）に示すように、いろいろな形状があり、弾性に富む材料で形成される。
【００２５】
この凸状部２２は、カバー材９の一部として一体成形される構成でもよいし、カバー材９とは別体で形成し、熱溶着、接着剤又は両面テープ等により接着して一体的な構成としてもよい。カバー材９の一部として一体成形する場合は、凸状部２２のみを、カバー材９の本体に較べてより弾力性に富む材料を使用して、本体とともに押し出し成形により一体形成する。
【００２６】
流し台１に、凸状部２２を有するカバー材９を外装したアシストバー１４を設けると、カバー材９の凸状部２２は、カバー材９と天板３の隙間を封止することで、流し台の正面から見て見栄えを良くするとともに、隙間からキャビネット２内に、ゴミ、水、湿気等が入りにくくなる、という効果が生じる。
【００２７】
カバー材９の下面部２１の先端縁部には、手掛かり２３が形成されている。この手掛かり２３は、キャビネット２側に向かって斜め下向きに形成されている。カバー材９をバー本体１０から取り外す際に、この手掛かり２３に手を掛ければ取り外し易くなる。また、手掛かり２３は斜め下向きに形成されているので、前方から見えづらく、目立たないのでカバー材９の見栄えを損ねることもない。
【００２８】
また、カバー材９の下面部２１の内面には、カバー材９の長手方向に沿って延びるように、凸条２４が形成された構成としてもよい。カバー材９の下部内面に凸条２４が形成された構成とする場合は、バー本体１０の底面部１８に凸条２４に対応する凹溝２５を形成しておき、カバー材９をバー本体１０に装着すると際に、この凹溝２５に凸条２４を嵌合する。
【００２９】
図３は、アシストバー１４の端部に、サイドキャップ８を取り付ける取り付け構造を説明する図である。図３（ａ）は、図１（ａ）のＡ−Ａ断面のアシストバー１４の部分示す図であり、図３（ｂ）は、図３（ａ）のＡ−Ａからみた正面図（流し台１の手前側から見た図）であり、図３（ｃ）は、図３（ａ）の一部を拡大した図であり、図３（ｄ）は図３（ｃ）のＢ−Ｂ断面図である。
【００３０】
カバー材９をバー本体１０に外装して成るアシストバー１４は、その両端部が、それぞれ図３（ｂ）、（ｄ）に示すように、サイドキャップ８の内面２６に当接し、突き合わせた状態で固定されている。
【００３１】
具体的には、バー本体１０をサイドキャップ８の内面２６に突き合わせてサイドキャップ８の外面側からネジ２７で固定し、カバー材９は、固定されたバー本体１０に弾力を利用して、被せて取り付ける構成とした。カバー材９を外装してから、バー本体１０をサイドキャップ８の内面２６に固定してもよい。
【００３２】
要するに、サイドキャップ８の内面２６に凹所又は突部を設けて、これにアシストバー１４を嵌合させて取り付ける構成（図５（ｄ）参照）でなく、単純に、アシストバー１４をサイドキャップ８の内面２６に当接し、突き合わせてネジ２７で固定する構成とした。
【００３３】
なお、バー本体１０については、サイドキャップ８の内面２６の凹所と嵌合して固定した構成としてもよいが、少なくともカバー材９は、単にサイドキャップ８の内面２６に当接し、突き合わせた状態で固定される構成とする。これにより、サイドキャップ８に固定されたバー本体１０に、カバー材９は取り付け、取り外し自在となる。
【００３４】
アシストバー１４の端部におけるサイドキャップ８への取り付け構造については、アシストバー１４をサイドキャップ８の内面２６に当接し、突き合わせてネジ２７で固定する構成としたが、さらに、次の構成を採用することが好ましい。この構成を、図３（ａ）〜（ｄ）において、説明する。
【００３５】
この構成は、サイドキャップ８の表面に対するアシストバー１４の表面の、引っ込み具合及び外側へのはみ出し具合を、アシストバー１４の前面部１９（具体的にはカバー材９の前面部１９であるので、「アシストバー１４の前面部１９」と言う。）と後面部２０（具体的にはカバー材９の後面部２０であるので、「アシストバー１４の後面部２０」と言う。）に応じて異ならせて取り付けた点である。
【００３６】
即ち、アシストバー１４の表面（具体的にはカバー材９の表面）のうち、人が凭れる側である前面部１９は、サイドキャップ８の前面部２８より外側に出ないように、サイドキャップ８の前面部２８と同じ面（面一）又はその内側になるように構成する。
【００３７】
一方、アシストバー１４の表面（カバー材９の表面）のうち、人が凭れる前面部１９に対してキャビネット２側に位置する後面部２０は、サイドキャップ８の後面部２９より、外側に僅かにはみ出すように構成する。
【００３８】
（作用等）
以上の構成から成る本発明に係る流し台１の作用を説明する。本発明において、アシストバー１４を取り付ける場合は、図３（ｂ）、（ｄ）に示すように、バー本体１０をサイドキャップ８の内面２６に突き合わせた状態とし、サイドキャップ８の外面側からネジ２７で固定する。
【００３９】
そして、カバー材９を、その弾力を利用してバー本体１０に被せるようにして外装する。カバー材９の後面部２０の先端側に設けられた弾力性に富む凸状部２２は、キャビネット２の上面に載置される天板３の下面に当接する。これによって、ゴミ、埃、水、湿気等がキャビネット２内に侵入しにくくなる。そして、カバー材９の下部内面２６に形成された凸条２４を、バー本体１０の底面に形成された凹溝２５に嵌合させる、ずれ止めとして機能する。
【００４０】
カバー材９をバー本体１０から取り外す場合は、カバー材９の弾力を利用して取り外すことができるが、この際、手掛かり２３に手を掛けてカバー材９を上方に持ち上げるようにするとカバー材９を取り外し易くなる。
【００４１】
さらに本発明に係る流し台１の作用効果を、図５に示す従来例と比較して説明する。従来例では、図５（ｃ）、（ｄ）に示すように、サイドキャップ５３の内面に凹所５４を形成し、この凹所５４内に、バー本体５７にカバー材５２を外装して成るアシストバー５１の端部を挿入し、サイドキャップ５３の外面側からネジ２７で固定する構成であった。
【００４２】
サイドキャップ５３の凹所５４の内側面とアシストバー５１の外側面（具体的には、カバー材５２の外側面である。）との隙間５５にゴミがたまると、この隙間５５はアシストバー５１の長手方向に向かっているので、清掃がしにくい。カバー材５２を取り外せば清掃し易くなる。しかし、カバー材５２の端部が、バー本体５７とともにサイドキャップ５３の凹所５４内に挿入されているので、サイドキャップ５３を取り外さなくてならず、手間がかかる。
【００４３】
この点、本発明では、アシストバー１４は、サイドキャップ８の内面２６に突き合わせた状態で固定されているので、アシストバー１４の端部とサイドキャップ８の内面２６との隙間は外面に向けて形成されている。従って、従来例に較べて、隙間にゴミがたまっても清掃がし易い。
【００４４】
また、カバー材は、その端部をサイドキャップに嵌合することなく、単に、サイドキャップに対して突き合わせ状態としたので、その点の構成からも、カバー材の取り付け、取り外しが簡単となり、しかもカバー材とサイドキャップの隙間であってカバー材の長手方向に延びる隙間がなくなるので、清掃性も向上する。
【００４５】
しかも、本発明では、カバー材９が図５（ｄ）に示す従来例のように、サイドキャップ５３の凹所５４に挿入されるような構成ではない。従って、必要に応じてカバー材９を簡単に取り外すことができるので、この点からみても、清掃がし易い。また、サイドキャップ８に凹所３２を設ける必要がないので、サイドキャップ８の構造が簡単となる。
【００４６】
ところで、サイドキャップ８の前面部２８より、アシストバー１４の前面部１９が外側にはみ出ていると、アシストバー１４の両端部でサイドキャップ８をしっかりと支持するというイメージが薄れ、見栄えが悪くなる。
【００４７】
そこで、従来例では、図５（ｃ）、（ｄ）に示すように、サイドキャップ５３の外形寸法をアシストバー５１より大きくして、サイドキャップ５３の前面部５８及び後面部５９からアシストバー５１の前面部６０及び後面部６１が外側にはみ出ないような構成としている。
【００４８】
しかし、アシストバー５１の前面部６０に較べて、アシストバー５１の後面部６１は、人が凭れるようなことがなく、また前面部６０に較べて裏側となるので清掃も怠りがちであることから、ごみや埃がたまりがちである。
【００４９】
通常、アシストバー５１の拭き掃除をする際には、その端部付近については、中心側から端部に向けて拭き取るものである。このような拭き取りの際に、図５（ｃ）、（ｄ）に示す従来例のように、アシストバー５１の後面部６１がサイドキャップ５３の後面部５９より内側に入り込んでいると、アシストバー５１の端部におけるサイドキャップ５３への取り付け部分のゴミや埃がとれにくい。
【００５０】
そこで本発明では、アシストバー１４の人が凭れる前面部１９に対してキャビネット２側の後面部２０は、サイドキャップ８の後面部２９より、外側に僅かにはみ出すような構成としたので、ごみや埃を拭き取り易くなる。なお、アシストバー１４の後面部２０は、使用者の目には触れないので、サイドキャップ８の前面部２８より、外側に僅かにはみ出すような構成としても、見栄えには影響しない。
【実施例２】
【００５１】
実施例１では、アシストバー１４のバー本体１０を収納兼アシストバー用幕板部５の一部として組み込んだ構成について説明した。しかし、この実施例２は、図４（ａ）〜（ｃ）に示すように、流し台１のキャビネット２の幕板３０に、サイドキャップ３１を介してアシストバー３２を取り付けた構成である。
【００５２】
この実施例２のバー本体３３及びカバー材３４は、その詳細は省略するが、実施例１と同じ構成である。また、アシストバー３２の端部におけるサイドキャップ３１への取り付け構造も実施例１と同じ構成である。即ち、アシストバー３２をサイドキャップ３１の内面３６に突き合わせた状態で固定する構成である。
【００５３】
さらに実施例２についても、実施例１と同様に、次のような構成とすることが好ましい。即ち、図４（ｃ）に示すように、アシストバー３２の表面（具体的にはカバー材の表面）のうち、人が凭れる側の前面部３７は、サイドキャップ３１の前面部３８より外側に出ないように、サイドキャップ３１の前面部３８と同じ面（面一）又はその内側になるように構成する。
【００５４】
一方、アシストバー３２の表面（カバー材３４の表面）のうち、人が凭れる前面部３７に対してキャビネット２側に位置する後面部３９は、サイドキャップ３１の後面部４０より、外側に僅かにはみ出すように構成する。このような構成とすると、正面からみた見栄えも悪くならず、また、アシストバー３１の清掃性も向上する。
【００５５】
以上、本発明に係る流し台を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５６】
本発明に係る流し台は、上記のような構成であり、流し台に限らず、作業用流し台、洗面台等にも利用可能であり、これらも本願の権利範囲に包含される。
【図面の簡単な説明】
【００５７】
【図１】本発明の実施例１の流し台を説明する図であり、（ａ）は流し台における収納兼アシストバー用幕板部の斜視図を示し、（ｂ）は収納兼アシストバー用部材の斜視図であり、（ｃ）は（ａ）のＡ−Ａ断面図である。
【図２】（ａ）は実施例１の収納兼アシストバー用幕板部の断面図の一部を示し、（ｂ）はカバー材を示し、（ｃ）は収納兼アシストバー用幕板部にカバー材を外装した状態を示す図であり、（ｄ）はカバー材の凸状部のいろいろな態様を示す図である。
【図３】（ａ）は図１（ｃ）の要部拡大図であり、実施例１のカバー材を外装したアシストバーにサイドキャップを装着した状態を示す図であり、（ｂ）は（ａ）のＡ−Ａ方向に見た図（正面図）であり、（ｃ）は（ａ）の拡大図であり、（ｄ）は（ｃ）のＢ−Ｂ断面図である。
【図４】本発明の実施例２の流し台のカバーとサイドキャップの関係を説明する図であり、（ａ）は流し台における収納兼アシストバー用幕板部の斜視図を示し、（ｂ）は（ａ）のＡ−Ａ断面図であり、（ｃ）は（ｂ）の拡大詳細図である。
【図５】従来例の流し台１を説明する図であり、（ａ）は流し台における収納兼アシストバー用幕板部の斜視図を示し、（ｂ）は（ａ）のＡ−Ａ断面図であり、（ｃ）は（ｂ）の拡大図であり、（ｄ）は（ｃ）のＢ−Ｂ断面図である。
【符号の説明】
【００５８】
１  流し台                                                      
２  キャビネット                                                
３  天板                                                        
４  シンク                                                      
５  収納兼アシストバー用幕板部                                  
６  収納兼アシストバー用部材                                    
７  固定片                                                      
８、３１、５３  サイドキャップ                                              
９、３４、５２  カバー材                                                    
１０、３３  バー本体                                                  
１１  棚                                                        
１２  取り付け部                                                
１３  側板                                                      
１４、３２、５１  アシストバー                                              
１５  物品                                                      
１６  バー本体の前面部                                          
１７  バー本体の後面部                                          
１８  バー本体の底面部                                          
１９、３７、６０  アシストバーの前面部（カバー材の前面部）         
２０、３９、６１  アシストバーの後面部（カバー材の後面部）         
２１  カバー材の下部                                            
２２  カバー材の凸状部                                          
２３  カバー材の手掛かり                                        
２４  カバー材の凸条                                            
２５  バー本体の凹溝                                            
２６、３６  サイドキャップの内面                                      
２７  ネジ                                                      
２８、３８、５８  サイドキャップの前面部                                    
２９、４０、５９  サイドキャップの後面部                                    
３０  幕板                                                      
５４  サイドキャップ内面の凹所                                  
５５  隙間                                                      
５６  段差部                                                    
５７  バー本体                                                  
６２  封止部材                                      
【図１】
2008289519.tif 000003
【図２】
2008289519.tif 000004
【図３】
2008289519.tif 000005
【図４】
2008289519.tif 000006
【図５】
2008289519.tif 000007